(57)【要約】【課題】  外部へのコードの露出を抑えつつ高い遮音性を備えたヘッドホンを得る。【解決手段】  左右一対のハウジング２と、ハウジング２の内部に収納されるスピーカユニットと、左右一対のハウジングを、ハンガー４を介して接続するヘッドバンド３と、スピーカユニットに信号を供給するコードと、を備えたヘッドホン。ハンガー４とハウジング２の接続は、ハウジング２に設けられた軸受孔に、管状の軸の一端がハウジング２に対して回転可能に挿入されるとともに、軸の他端がハンガー４に固定されて行われることで、ハウジング２がヘッドバンド３に回転可能に保持され、コードは軸の内部空間を通って左右のスピーカユニットを電気的に接続し、軸が軸受孔に対して回転可能な状態を維持しつつ、ハウジング２内部において軸と軸受孔との間隙がシール材により覆われる。【選択図】  図１
2011035522.tif 000002
【特許請求の範囲】
【請求項１】
内部空間を有する左右一対のハウジングと、
前記ハウジングの内部空間に収納されるスピーカユニットと、
前記左右一対のハウジングを、それぞれハンガーを介して接続するヘッドバンドと、
前記スピーカユニットに信号を供給するコードと、
を備えたヘッドホンであって、
前記ハウジングに設けられた軸受孔に、管状の軸の一端が前記ハウジングに対して回転可能に挿入されるとともに、前記軸の他端が前記ハンガーに固定されることにより、前記ハウジングが前記ハンガーを介して前記ヘッドバンドに回転可能に接続され、
前記コードは前記軸を貫通することで左右一対の前記ハウジング内の前記スピーカユニットを電気的に接続し、
前記軸が前記軸受孔に対して回転可能な状態を維持しつつ、前記ハウジング内部において前記軸と前記軸受孔との間隙がシール材により覆われているヘッドホン。
【請求項２】
前記シール材が弾性部材よりなる請求項１記載のヘッドホン。
【請求項３】
前記シール材がＯリングである請求項２記載のヘッドホン。
【請求項４】
前記シール材が前記軸に接着固定されている請求項１乃至３のいずれかに記載のヘッドホン。
【請求項５】
前記シール材が前記ハウジングの内壁に接着されている請求項１乃至３のいずれかに記載のヘッドホン。
【請求項６】
前記シール材を前記軸受孔の開口部に押圧された状態で固定する固定部材が、前記軸に設けられている請求項１乃至３のいずれかに記載のヘッドホン。
【請求項７】
前記固定部材がＥ型止め輪を有する請求項６記載のヘッドホン。
【請求項８】
前記固定部材がＣ型止め輪を有する請求項６記載のヘッドホン。
【請求項９】
前記コードがハウジング内部において前記軸受孔の端部に固定されている請求項１乃至８のいずれかに記載のヘッドホン。
【発明の詳細な説明】
【技術分野】
【０００１】
本発明は、外部へのコードの露出を抑えつつ高い遮音性を備えたヘッドホンに関するものである。
【背景技術】
【０００２】
一般的なヘッドホンは、スピーカや電気回路を含むスピーカユニットを収納した左右一対のハウジングが、ハンガーの軸支持部を介してヘッドバンドの両端部分に回転可能に取り付けられた構成をしている。
【０００３】
具体的には、軸及び軸受孔がそれぞれハンガー又はハウジングに設けられていて、軸が軸受孔に嵌合することで、ハウジングがハンガーに回転可能に支持されて、ハウジングのヘッドバンドに対する角度調節が可能となっている。これにより、使用者の頭部の形状に合わせてハウジングの向きを調節することができる。
【０００４】
このようなヘッドホンにおいては、左右のハウジングに設けられたスピーカ等の音響回路を電気的に接続するためのコードが必要となる。
【０００５】
特許文献１に記載のヘッドホンのように、ハウジング側に軸が設けられるとともにハンガー側に軸受孔が設けられるヘッドホンにおいては、ハウジング側の軸及びハンガー側の軸受孔にコードを通すことが困難であるため、別途コードを通すための孔部をハウジングに設ける必要がある。
【０００６】
このような構成とした場合、コードがハンガー及びハウジング外部に露出してしまい、使用者に煩雑感を与えることがある。また、ヘッドホンの使用中に使用者の周囲にあるものが露出したコードに引っかかり、コードの断線や、ヘッドホンの脱落を生じる恐れがある。また、極めて大きな騒音環境下で使用者の耳の保護のために用いられるヘッドホンであるノイズキャンセルヘッドホンやイヤマフの場合には、ヘッドホンが脱落することで使用者の耳にダメージを与える恐れがある。
【０００７】
そのため、ヘッドバンドの長手方向に沿って設けられた溝等にコードを埋め込むとともに、中空の軸をハンガー側に、軸受孔をハウジング側に設け、軸の中空部分にコードを通す構成とすることで外部へのコードの露出を抑えたヘッドホンが用いられている。
【０００８】
ハウジング内に進入したコードは、ハウジングの内壁に接着剤等を用いて固定されることで、コードの抜けが防止されるとともに、軸の中空部分を通じてハウジングの内外が空気的に連通し遮音性が低下することが防止されている。
【先行技術文献】
【特許文献】
【０００９】
【特許文献１】米国特許公報第６９６５６８１号公報
【発明の概要】
【発明が解決しようとする課題】
【００１０】
軸受孔と軸によりハウジングを回転可能に支持するためには、軸受孔と軸との間にある程度の間隙を設ける必要がある。しかし、ハウジング側に軸受孔を設ける場合には、この間隙を通じてハウジング内部の空気が外部と連通してしまい、遮音性が低下してしまう恐れがある。
【００１１】
本発明は、上記課題を鑑みてなされたものであって、外部へのコードの露出を抑えつつ高い遮音性を備えたヘッドホンを提供することを目的とする。
【課題を解決するための手段】
【００１２】
本発明は、内部空間を有する左右一対のハウジングと、前記ハウジングの内部空間に収納されるスピーカユニットと、前記左右一対のハウジングを、それぞれハンガーを介して接続するヘッドバンドと、前記スピーカユニットに信号を供給するコードと、を備えたヘッドホンであって、前記ハウジングに設けられた軸受孔に、管状の軸の一端が前記ハウジングに対して回転可能に挿入されるとともに、前記軸の他端が前記ハンガーに固定されることにより、前記ハウジングが前記ハンガーを介して前記ヘッドバンドに回転可能に接続され、前記コードは前記軸を貫通することで左右一対の前記ハウジング内の前記スピーカユニットを電気的に接続し、前記軸が前記軸受孔に対して回転可能な状態を維持しつつ、前記ハウジング内部において前記軸と前記軸受孔との間隙がシール材により覆われていることを最も主要な特徴とする。
【００１３】
本発明においては特に限定されないが、前記シール材が弾性部材よりなることが好ましい。
【００１４】
また、本発明においては特に限定されないが、前記シール材がＯリングであることが好ましい。
【００１５】
また、本発明においては特に限定されないが、前記シール材が前記軸に接着固定されていることが好ましい。
【００１６】
また、本発明においては特に限定されないが、前記シール材が前記ハウジングの内壁に接着されていることが好ましい。
【００１７】
また、本発明においては特に限定されないが、前記シール材を前記軸受孔の開口部に押圧された状態で固定する固定部材が、前記軸に設けられていることが好ましい。
【００１８】
また、本発明においては特に限定されないが、前記固定部材がＥ型止め輪を有することが好ましい。
【００１９】
また、本発明においては特に限定されないが、前記固定部材がＣ型止め輪を有することが好ましい。
【００２０】
また、本発明においては特に限定されないが、前記コードがハウジング内部において前記軸受孔の端部に固定されていることが好ましい。
【発明の効果】
【００２１】
本発明によれば、ハウジングが中空の軸を介してハンガーに回転可能に支持され、軸の中空部分に左右のハウジング内のスピーカユニットを接続するコードが通されるとともに、軸とハウジングとの間隙がシール材により覆われる構成となっているため、外部へのコードの露出を抑えつつ高い遮音性を備えたヘッドホンを提供することができる。
【図面の簡単な説明】
【００２２】
【図１】本発明に係るヘッドホンの実施例を示す正面図である。
【図２】図１のヘッドホンのハンガー部の断面図である。
【図３】本発明に係るヘッドホンの別の実施例のハンガー部の断面図である。
【図４】本発明に係るヘッドホンの実施例と従来のヘッドホンの遮音性を比較したグラフである。
【発明を実施するための形態】
【００２３】
以下、本発明に係るヘッドホンの実施例について、図を用いて説明する。
【００２４】
［実施例１］
図１及び図２に示すように、実施例１に係るヘッドホン１は、スピーカや電気回路を含むスピーカユニットを収納した左右一対のハウジング２が、ハンガー４の軸支持部４１を介してヘッドバンド３の両端部分に回転可能に取り付けられた構成をしている。
【００２５】
ハウジング２は、使用者の耳に当接して使用者に音声を提供するとともに、外部の騒音から使用者の耳を保護する部材であり、使用者の耳と当接する部分にはイヤパッド２１が設けられている。このハウジング２の内部には、図示しない小型のスピーカ、及び、スピーカを駆動する音声信号に対して音像定位処理、ノイズキャンセリング処理、信号増幅処理等の信号処理を施す所定の音響用の電気回路（以下「音響回路」と称する。）等が配置されている。以下、スピーカ及び音響回路を総称して、スピーカユニットと称する。
【００２６】
ヘッドバンド３は、左右のハウジング２間を後述するハンガー４を介して接続するとともに、使用者がヘッドホン１を装着した場合には、使用者の頭部に当接してその弾力により使用者の側頭部にヘッドホン１を押圧して保持する部材である。また、このヘッドバンド３には、この長手方向に沿って後述するコード１０を埋設することのできる、図示しない溝部が形成されている。
【００２７】
ハンガー４は、ヘッドバンド３とハウジング２とを連結するための部材であり、ヘッドバンド３の両端部からそれぞれ二股に枝分かれして伸長し、その枝分かれした部分の先端部においてハウジング２を回転可能に把持している。
【００２８】
具体的には、ハンガー４の枝分かれした２箇所の先端部分にそれぞれ設けられた挿入孔４３に中空の軸４１が圧入などにより挿入されて固定されるとともに、この軸４１が、ハウジング２の側面に設けられた軸受孔１１に所定の隙間を空けて挿入されている。ハンガー４は二股に枝分かれしているため、枝分かれした部分の各先端部が上記の構造と同じ構造でハウジング２の２箇所に直結されている。この構成により、ハウジング２を軸４１を中心として回転させることでヘッドバンド３に対するハウジング２の角度を調整することができ、ハウジング２の向きを使用者の頭部の形状に合わせて調節することができる。図２はハウジング２を前後方向から見た図で、ハンガー４はハウジング２に対し、管状の軸４１とともにこの軸４１を中心に図２の紙面に直交する方向に回転する。
【００２９】
コード１０は、管状の軸４１の中心孔を貫通し、その両端部が左右のハウジング２内部のスピーカユニットにそれぞれ接続されることで、左右のハウジング２内部のスピーカユニットを互いに電気的に接続する導電性の部材である。コード１０は、ヘッドバンド３の溝部及び中空の軸４１の内部を通ることで、左右のハウジング２内に収納されているスピーカユニットを接続している。また、コード１０は、ハウジング２の内部において、接着剤９により軸４１の端部に固定されている。そのため、ヘッドホン１の使用時にコード１０が不必要に動くことを防止することができ、スピーカユニットにコード１０を接続している半田が剥がれて、スピーカユニット間の電気的接続が損なわれることを防止することができる。また、この接着剤９により、軸の中空部分を通じてハウジング２の内外が空気的に連通し遮音性が低下することを防止することができる。管状の軸４１の中心孔から外部に引き出されたコード１０は適宜の溝に埋め込まれるなどの処理によってハンガー４の方に導かれ、露出部分がなるべく少なくなるように工夫されている。
【００３０】
本実施例においては、コード１０のヘッドホン１の外部への露出が抑えられるため、露出したコードが使用者に煩雑感を与えることが無い。また、ヘッドホン１の使用中に、露出したコード１０に使用者の周囲にあるものが引っかかることを防止することができ、コード１０の断線や、ヘッドホン１の脱落を効果的に防止することができる。そのため、本実施例に係るヘッドホン１は、極めて大きな騒音環境下で用いられるヘッドホンであるノイズキャンセルヘッドホンや、アクティブノイズキャンセル機能を備えたイヤマフとしても、好適に用いることができる。
【００３１】
また、ハウジング２をハンガー４に対して回転可能に支持するためには、ハウジング２の軸受孔１１とそこに挿入された軸４１との間に所定の隙間が設けられている必要があるが、従来の構成のヘッドホンにおいては、この隙間を通じてハウジング２の内外が空気的に連通し、遮音性が低下する恐れがある。
【００３２】
そこで、本実施例に係るヘッドホン１においては、ハウジング２の内壁と軸４１との隣接部分を、軸４１に嵌められたＯリング５が覆うとともに、このＯリング５がハウジング２の内壁に接着剤により固定されている構成となっている。
【００３３】
このような構成とすることで、軸受孔１１と軸４１との間の隙間を通じてハウジング２の内外が空気的に連通して、遮音性が低下することを効果的に防止することができる。また、Ｏリング５がハウジング２の内壁部分に固定されることで、ヘッドホン１の使用にともないＯリング５がハウジング２の内壁部分と軸４１の隣接部分から離間し、軸受孔１１と軸４１との間の隙間が解放されてしまうことを効果的に防止することができる。
【００３４】
なお、本実施例においては、Ｏリング５はハウジング２の内壁に接着されているが、本発明においてはこれに限らず、軸４１に接着する構成としても良い。このような構成としても、上述した内壁に接着された場合と同様の効果を得ることができる。
【００３５】
また、本実施例においては、軸受孔１１と軸４１との隙間を覆うためにＯリング５を用いたが、本発明においてはこれに限らず、軸４１に樹脂製の弾性部材を塗布しこれを硬化させることで当該隙間を覆う構成としても良い。
【００３６】
また、ヘッドホン１には外部からの電源供給回路及び信号供給回路が設けられているが、図示を省略している。
【００３７】
［実施例２］
次に、図３に示す、本発明に係るヘッドホン１の別の実施例を説明する。この実施例２に係るヘッドホン１は、軸受孔１１と軸４１との間のすき間を埋める構成以外は前述した実施例１に係るヘッドホン１と同様であるため、当該隙間を埋める構成以外の部分についてはその説明を省略する。
【００３８】
図３に示すように、本発明の実施例２に係るヘッドホン１は、ハウジング２の内壁側において、軸受孔１１と軸４１との隙間が上述した実施例と同様にＯリング５で覆われている構成となっている。ただし、本実施例においては、Ｏリング５はハウジング２の内壁等に接着されてはおらず、平座金６を介してＥリング７によりハウジング２の内壁に押圧された状態で固定されている。Ｏリング５は、ハウジング２の内壁と平座金６との間で押圧されて周囲の空間を埋めるように変形し、ハウジング２と軸４１との間隙を塞いで、遮音効果を高める。なお、Ｅリング７は、軸４１に設けられた周溝に嵌められることで軸４１に取り付けられている。
【００３９】
本実施例に係るヘッドホン１の態様によっても、前述した実施例１に係るヘッドホン１と同様の効果を得ることができる。
【００４０】
なお、本実施例においてはＥリング７を用いてＯリング５を押圧していたが、本発明においてはこれに限らず、Ｃリングを用いて固定しても良い。
【００４１】
上述した実施例１又は２に係るヘッドホンの構成を採用することにより向上する遮音性について、図４を用いて説明する。図４に示すように、実施例１又は２に係るヘッドホンによれば、従来の軸受孔１１と軸４１との隙間がＯリングで覆われていないヘッドホンと比較し、１２０Ｈｚ以下の音域において遮音性が向上することが分かった。
【符号の説明】
【００４２】
１  ヘッドホン
２  ハウジング
２１  イヤパッド
３  ヘッドバンド
３１  結節部
４  ハンガー
４１  軸
４２  孔部
４３  挿入孔
５  Ｏリング
６  平座金
７  Ｅリング
９  接着剤
１０  コード
１１  軸受孔
【図１】
2011035522.tif 000003
【図２】
2011035522.tif 000004
【図３】
2011035522.tif 000005
【図４】
2011035522.tif 000006